(57)【要約】【課題】  髪の生え方の調整を容易にした毛流矯正用梳き鋏を提供する。【解決手段】  櫛刃２ａが設けられた第１の鋏半部２と棒刃３ａが設けられた第２の鋏半部３とをピボット４により連結した梳き鋏において、第１の鋏半部２の先部側における櫛刃５の刃隙間Ｓ１は、第１の鋏半部２の後部側における櫛刃６の刃隙間Ｓ２よりも小さく形成され、第２の鋏半部３の棒刃３ａには、先部側の櫛刃５に対応する切刃部７が形成されていると共に、後部側の櫛刃６に対応する止め刃部８が形成されている【選択図】  図２
0003123764.tif 000002
【実用新案登録請求の範囲】
【請求項１】
櫛刃が設けられた第１の鋏半部と棒刃が設けられた第２の鋏半部とをピボットにより連結した梳き鋏において、
前記第１の鋏半部の先部側における櫛刃の刃隙間は、前記第１の鋏半部の後部側における櫛刃の刃隙間よりも小さく形成され、前記第２の鋏半部の前記棒刃には、前記先部側の櫛刃に対応する切刃部が形成されていると共に、前記後部側の櫛刃に対応する止め刃部が形成されていることを特徴とする毛流矯正用梳き鋏。
【請求項２】
前記先部側櫛刃の櫛片の先端部には、毛髪を取り込むための刃先溝が形成され、前記後部側櫛刃の櫛片は、刃先溝の無い尖端形状を有することを特徴とする請求項１記載の毛流矯正用梳き鋏。
【請求項３】
前記棒刃を有する前記第２の鋏半部の基端に設けられた指挿入環には、指当て部が設けられていることを特徴とする請求項１又は２記載の毛流矯正用梳き鋏。
【請求項４】
前記先部側櫛刃は、前記櫛刃の全長において略１／３形成されていることを特徴とする請求項１〜３のいずれか一項記載の毛流矯正用梳き鋏。
【考案の詳細な説明】
【技術分野】
【０００１】
本考案は、理容又は美容業界において、頭髪のカットに利用される毛流矯正用梳き鋏に関するものである。
【背景技術】
【０００２】
従来、このような分野の技術として、実開昭５７−２３２６８号公報がある。この公報に記載された梳き鋏は、櫛刃を有する第１の鋏半部と棒刃を有する第２の鋏半部とがピボットにより連結され、第１の鋏半部の先部側における櫛刃の刃隙間は、第１の鋏半部の後部側における刃隙間よりも小さく形成されている。さらに、第２の鋏半部の棒刃には、櫛刃の全長に対応するように切刃が形成されている。このような梳き鋏を利用することで、毛元側から毛先側にかけて梳き量を次第に大きくすることができる。
【０００３】
【特許文献１】実開昭５７−２３２６８号公報
【特許文献２】特開平１１−２２６２７１号公報
【考案の開示】
【考案が解決しようとする課題】
【０００４】
しかしながら、前述した従来の梳き鋏では、頭髪のボリューム感を調整することはできるが、ウェーブの付いたクセ毛を自然なストレートヘアにしたい場合や毛量を根元から減らしたい場合など、髪の生え方が気になる場合に調整し難かった。
【０００５】
本考案は、髪の生え方の調整を容易にした毛流矯正用梳き鋏を提供することを目的とする。
【課題を解決するための手段】
【０００６】
本考案に係る毛流矯正用梳き鋏は、櫛刃が設けられた第１の鋏半部と棒刃が設けられた第２の鋏半部とをピボットにより連結した梳き鋏において、第１の鋏半部の先部側における櫛刃の刃隙間は、第１の鋏半部の後部側における櫛刃の刃隙間よりも小さく形成され、第２の鋏半部の棒刃には、先部側の櫛刃に対応する切刃部が形成されていると共に、後部側の櫛刃に対応する止め刃部が形成されていることを特徴とする。
【０００７】
本考案に係る毛流矯正用梳き鋏は、クセの強い毛髪などで調整が特に必要な毛髪の根元近くにのみ切刃部を確実にアクセスさせることができるので、毛髪の根元近くを地肌に沿って確実にカットすることができ、毛髪の根元近くのみを確実に梳くことができる。これによって、ウェーブの付いたクセ毛を自然なストレートヘアにしたい場合や毛量を根元から減らしたい場合など、生え方が気になる箇所を容易に調髪することができる。このように、本考案の梳き鋏は、毛流れの矯正を容易にすると同時に毛量の調整をも容易にしている。
【０００８】
また、先部側櫛刃の櫛片の先端部には、毛髪を取り込むための刃先溝が形成され、後部側櫛刃の櫛片は、刃先溝の無い尖端形状を有すると好適である。このような構成によって、極めて良好に毛流れの調整や毛量の調整を行うことができる。
【０００９】
また、棒刃を有する第２の鋏半部の基端に設けられた指挿入環には、指当て部が設けられていると好適である。このことによって、毛流矯正の際に、流れるような自然なカットを容易にしている。
【００１０】
また、先部側櫛刃は、櫛刃の全長において略１／３形成されていると好適である。先部側櫛刃をこのような配分にすることで、矯正する際の施術をスムーズに行うことができ、施術が極めて容易になる。
【考案の効果】
【００１１】
本考案は、毛量を調整しながら髪の生え方の調整を容易にしている。
【考案を実施するための最良の形態】
【００１２】
以下、図面を参照しつつ本考案に係る毛流矯正用梳き鋏の好適な実施形態について詳細に説明する。
【００１３】
マイクロスキャナで頭皮を観察すると、個人差はあるが、毛量が多い人の場合、４，５本が一つの毛穴から出ており、このことが毛髪の密度に関係している。また、生え方はまちまちであるが、毛穴からクロスするように髪が生えており、髪の毛は不規則なクロスや回転を生じながら束のように伸びているので、生え出した毛髪は自然なツイストやヨジレを生じている。また、クセ毛や縮毛の人は、張り付いたようなヨジレが生じている。
【００１４】
これらのことは、諸般知られていることではあるが、注目したいのは、直毛と思われている人の自然なツイスト・ヨジレである。そして、美しく見えるストレートヘアの人のツイスト・ヨジレを矯正することで、美しい髪はよりしなやかに、ウェーブの付いたクセ毛は自然なストレートヘアにすることができる。
【００１５】
そこで、以下のような毛流矯正用梳き鋏が発案された。
【００１６】
図１及び図２に示すように、梳き鋏１は、櫛刃２ａが設けられた第１の鋏半部２と、棒刃３ａが設けられた第２の鋏半部３とがピボット４により連結されている。第１の鋏半部２の基端には指挿入環２ｂが設けられ、第２の鋏半部３の端部にも指挿入環３ｂが設けられている。
【００１７】
第１の鋏半部２の先部側における櫛刃５の刃隙間Ｓ１は、第１の鋏半部２の後部側における櫛刃６の刃隙間Ｓ２よりも小さく形成されている。具体的に、先部側櫛刃５は、等間隔で並設された１３本の櫛片５ａによって形成され、櫛片５ａの幅は０．６ｍｍ、刃隙間Ｓ１は１．４ｍｍである。これに対して、後部側櫛刃６は、等間隔で並設された１２本の櫛片６ａによって形成され、櫛片６ａの幅は０．６ｍｍ、刃隙間Ｓ２は３．０ｍｍである。
【００１８】
さらに、第２の鋏半部３の棒刃３ａは、先部側櫛刃５に対応する長さをもった切刃部７と、この切刃部７から連続して後部側櫛刃６に対応するように、棒刃３ａの根元まで長手方向に延在する止め刃部８と、によって形成されている。切刃部７は、先部側櫛刃５の櫛片５ａとの協働によって毛髪を切除し、止め刃部８には切刃が形成されておらず、止め刃部８と後部側櫛刃６の櫛片６ａとの協働によって毛髪が切除されることはなく、カット時において、毛髪は刃隙間Ｓ２内に入り込む。
【００１９】
先部側櫛刃５の先端から７本の櫛片５ａには、図３（ａ）に示すように、毛髪Ａを取り込むための円弧状刃先溝９が形成されている。この櫛片５ａの先端において、片側は円弧状をなし、反対側は直状をなしている。そして、円弧部分１０の端部近傍に刃先溝９が形成されている。これに対し、残りの先部側櫛刃５の櫛片５ａ及び後部側櫛刃６の櫛片６ａは、図３（ｂ）に示すように、刃先溝の無い尖端形状を有し、この尖端は、膨らみをもっている。このような刃先形状によって、極力毛髪を切断せずに、毛髪を通す調整を行うことができる。
【００２０】
そして、前述した構成の毛流矯正用梳き鋏１は、クセの強い毛髪など調整が必要な毛髪の根元近くにのみ切刃部７を確実にアクセスさせることができるので、毛髪の根元近くを地肌に沿って確実にカットすることができ、毛髪の根元近くのみを容易に梳くことができる。これによって、ウェーブの付いたクセ毛を自然なストレートヘアにしたい場合や毛量を根元から減らしたい場合など、生え方が気になる箇所を容易に調髪することができる。このように、梳き鋏１は、毛流れの矯正を容易にすると同時に毛量の調整をも容易にしている。
【００２１】
さらに、櫛刃２ａの全長において、先部側櫛刃５が略１／３、後部側櫛刃６が略２／３形成されている。櫛刃２ａに関して、先部側櫛刃５をこのような配分にすることで、矯正する際の施術をスムーズに行うことができ、施術が極めて容易になる。また、棒刃３ａを有する第２の鋏半部３の基端に設けられた指挿入環３ｂには、指当て部１１が設けられている。これによって、毛流矯正の際に、流れるような自然なカットが容易になる。
【図面の簡単な説明】
【００２２】
【図１】本考案に係る毛流矯正用梳き鋏の一実施形態を示す正面図である。
【図２】本考案に係る毛流矯正用梳き鋏を開いた状態を示す正面図である。
【図３】櫛刃の刃先形状を示す拡大図である。
【符号の説明】
【００２３】
１…毛流矯正用梳き鋏、
２…第１の鋏半部、
２ａ…櫛刃、
３…第２の鋏半部、
３ａ…棒刃、
３ｂ…指挿入環
４…ピボット、
５…先部側櫛刃、
５ａ，６ａ…櫛片、
６…後部側櫛刃、
７…切刃部、
８…止め刃部、
９…刃先溝、
１１…指当て部、
Ａ…毛髪、
Ｓ１，Ｓ２…刃隙間。
【図１】
0003123764.tif 000003
【図２】
0003123764.tif 000004
【図３】
0003123764.tif 000005